(57)【要約】【課題】ラベルの発行実績を好適に計上する。【解決手段】発行装置は、前記ラベルのタイプに関するタイプ情報と、前記ラベルの印字フォーマットに関する印字フォーマット情報とを対応付けて記憶する記憶手段を備え、前記タイプとして、少なくとも標準タイプと棚タイプとが存在し、前記棚タイプの前記ラベルが発行されたときは発行実績として計上せずに、前記棚タイプ以外の前記タイプの前記ラベルが発行されたときは発行実績として計上する。【選択図】図４
2018062182.tif 000002
【特許請求の範囲】
【請求項１】
所定事項が印字されたラベルを発行する発行装置であって、
前記ラベルのタイプに関するタイプ情報と、前記ラベルの印字フォーマットに関する印字フォーマット情報とを対応付けて記憶する記憶手段
を備え、
前記タイプとして、少なくとも標準タイプと棚タイプとが存在し、
前記棚タイプの前記ラベルが発行されたときは発行実績として計上せずに、前記棚タイプ以外の前記タイプの前記ラベルが発行されたときは発行実績として計上することを特徴とする発行装置。
【請求項２】
商品を指定する指定手段を更に備え、
前記棚タイプ以外の前記タイプの前記ラベルが発行されたときは前記指定手段により指定された商品の生産個数を発行実績として計上することを特徴とする請求項１に記載の発行装置。
【請求項３】
所定事項が印字されたラベルを発行する発行装置であって、
前記ラベルのタイプに関するタイプ情報と、前記ラベルの印字フォーマットに関する印字フォーマット情報とを対応付けて記憶する記憶手段と、
商品を指定する指定手段と
を備え、
前記タイプとして、少なくとも標準タイプと棚タイプとが存在し、
前記棚タイプ以外の前記タイプの前記ラベルが発行されたときは前記指定手段により指定された商品の生産個数を発行実績として計上することを特徴とする発行装置。
【発明の詳細な説明】
【技術分野】
【０００１】
本発明は、発行装置に関する。
【背景技術】
【０００２】
従来、印字フォーマットを選択して商品のラベルを発行するラベルプリンタが知られている（例えば、特許文献１参照。）
【先行技術文献】
【特許文献】
【０００３】
【特許文献１】特開平５−２７８２９６号公報
【発明の概要】
【発明が解決しようとする課題】
【０００４】
しかしながら、用途に応じた複数種類のラベルに対応するラベルプリンタにおいて、ラベルの発行実績を好適に計上することができなかった。
【０００５】
本発明は上記の点に鑑みてなされたものであり、その目的は、ラベルの発行実績を好適に計上することができる技術を提供することにある。
【課題を解決するための手段】
【０００６】
上述した課題を解決するために、本発明の一態様に係る発行装置は、所定事項が印字されたラベルを発行する発行装置であって、前記ラベルのタイプに関するタイプ情報と、前記ラベルの印字フォーマットに関する印字フォーマット情報とを対応付けて記憶する記憶手段を備え、前記タイプとして、少なくとも標準タイプと棚タイプとが存在し、前記棚タイプの前記ラベルが発行されたときは発行実績として計上せずに、前記棚タイプ以外の前記タイプの前記ラベルが発行されたときは発行実績として計上することを特徴とする。
【０００７】
上記発行装置は、商品を指定する指定手段を更に備え、前記棚タイプ以外の前記タイプの前記ラベルが発行されたときは前記指定手段により指定された商品の生産個数を発行実績として計上してもよい。
【０００８】
上述した課題を解決するために、本発明の他の態様に係る発行装置は、所定事項が印字されたラベルを発行する発行装置であって、前記ラベルのタイプに関するタイプ情報と、前記ラベルの印字フォーマットに関する印字フォーマット情報とを対応付けて記憶する記憶手段と、商品を指定する指定手段とを備え、前記タイプとして、少なくとも標準タイプと棚タイプとが存在し、前記棚タイプ以外の前記タイプの前記ラベルが発行されたときは前記指定手段により指定された商品の生産個数を発行実績として計上することを特徴とする。
【発明の効果】
【０００９】
本発明によれば、ラベルの発行実績を好適に計上することができる。
【図面の簡単な説明】
【００１０】
【図１】本発明の一実施形態に係るラベル発行装置１００の構成を示す概略ブロック図である。
【図２】ハードディスク１０７が記憶する情報の一例である。
【図３】各タイプのラベルを説明する説明図である。
【図４】表示部１０４による表示例である。
【図５】表示部１０４による表示例である。
【図６】表示部１０４による表示例である。
【図７】表示部１０４による表示例である。
【図８】ラベル発行装置１００の動作の一例を示すフローチャートである。
【発明を実施するための形態】
【００１１】
以下、本発明の一実施形態を、図面を参照しながら説明する。図１は、本発明の一実施形態に係るラベル発行装置１００の構成を示す概略ブロック図である。ラベル発行装置１００は、用紙（例えば、ライナーレスの用紙）に所定事項を印字したラベルを発行する。ラベル発行装置１００によって発行されるラベルには、例えば、各商品に付される例えば横幅６０ｍｍ、高さ６０ｍｍ程度の標準タイプのラベル（標準ラベル）や、陳列棚に付される標準タイプのラベルよりも長尺の棚タイプのラベル（棚ラベル）等がある。
【００１２】
ラベル発行装置１００は、図１に示すように、ＣＰＵ１０１、ＲＯＭ１０２、ＲＡＭ１０３、表示部１０４、操作部１０５、印刷部１０６、及び、ハードディスク１０７を備える。上述の各機能部は、バス１を介して互いに接続されている。
【００１３】
ＣＰＵ１０１は、ラベル発行装置１００全体（各機能部）の動作を制御する中央演算処理装置である。ＣＰＵ１０１は、ＲＯＭ１０２（又はハードディスク１０７）に記憶されているプログラムを読み出してＲＡＭ１０３に展開し、展開されたプログラムの各ステップを実行することによって、ラベル発行装置１００全体の動作を制御する。なお、ＣＰＵ１０１による個々の制御内容については後述する。
【００１４】
ＲＯＭ１０２は、読み出し専用の記憶部である。ＲＯＭ１０２は、主として更新されない情報を記憶（保持）する。例えば、ＲＯＭ１０２は、ＣＰＵ１０１によって実行されるプログラムを記憶する。
【００１５】
ＲＡＭ１０３は、読み書き自在の記憶部である。ＲＡＭ１０３は、主として高速なアクセス（読み書き）を要する情報を記憶（一時記憶）する。例えば、ＲＡＭ１０３は、ＲＯＭ１０２等から読み出されたプログラムを記憶する。また、ＲＡＭ１０３は、プログラムの実行によって読み出されるデータ（例えば、下記の商品情報や印字フォーマット情報）や生成されるデータを記憶する。
【００１６】
ハードディスク１０７は、読み書き自在の記憶部である。ハードディスク１０７は、各種の情報を記憶（保持）する。例えば、ハードディスク１０７は、外部から取得される情報（例えば、商品情報等）や、適宜更新され得る情報（例えば、印字フォーマット情報等）を記憶する。なお、ＲＯＭ１０２に代えて、ハードディスク１０７は、ＣＰＵ１０１によって実行されるプログラムを記憶してもよい。
【００１７】
表示部１０４は、例えば、液晶タッチディスプレイである。即ち、表示部１０４は、操作者（例えば従業員等）に情報を表示する表示機能の他に、操作者による入力操作を受ける操作受付機能を提供する。
【００１８】
操作部１０５は、操作受付機能を有する構造的な部材、及び、表示部１０４が提供する操作受付機能を有する部材である。例えば、ラベル発行装置１００がキーボードを具備するのであれば当該キーボードが操作部１０５（構造的な部材の一例）に該当し、ラベル発行装置１００の筐体上にボタン（ハードボタン）等を具備するのであれば当該ボタン等も操作部１０５（構造的な部材の一例）に該当し、ラベル発行装置１００がマウス等のポインティングデバイスを具備するのであれば当該ポインティングデバイスも操作部１０５（構造的な部材の一例）に該当する。更に、ラベル発行装置１００の表示部１０４に表示されるボタン（ソフトボタン）等も操作部１０５（表示部１０４が提供する操作受付機能を有する部材の一例）に該当し、表示部１０４に表示される入力欄等も操作部１０５（表示部１０４が提供する操作受付機能を有する部材）に該当する。
【００１９】
印刷部１０６は、操作者の操作に応じて印刷物を発行する。例えば、印刷部１０６は、入力等された所定事項を印字フォーマットに当てはめて用紙に印字し、ラベルとして発行する。
【００２０】
ＣＰＵ１０１による制御内容の一例について説明する。ＣＰＵ１０１は、表示部１０４を制御する。例えば、ＣＰＵ１０１は、操作者によって選択されたラベルのタイプに対応する印字フォーマットのみを選択可能に一覧表示するように表示部１０４による表示を制御する。また例えば、ＣＰＵ１０１は、印字フォーマットを選択可能に一覧表示しているときに該一覧表示において選択された印字フォーマットによる印字イメージを表示するように表示部１０４による表示を制御する。
【００２１】
また例えば、ＣＰＵ１０１は、棚ラベル（棚タイプのラベル）が発行されたときは発行実績として計上（カウント）せずに、標準ラベル（標準タイプのラベル）が発行されたときは発行実績として計上（カウント）する。標準ラベルは、商品に貼付されるラベルであるので発行枚数等の管理は有用である。標準ラベルは後述の図３（ａ）のように商品のバーコードが印字され、当該バーコードが店舗の精算装置（レジ）で読み取られて精算処理が行われるが、ある商品の標準ラベルの発行枚数は当該商品を生産した生産個数（当該商品を陳列した陳列個数）と同じであるので、標準ラベルの発行実績をカウントしておけば、標準ラベルの発行枚数（生産個数）と、実際にレジで販売された販売個数とを比較することができる。また、販売個数との比較を行わなくても、標準ラベルの発行枚数をカウントしておけば、各商品の生産個数を管理することができるので、単に生産個数を管理するという目的の為だけであっても、標準ラベルの発行実績をカウントするのは有用である。一方、棚ラベルは、店舗内の陳列棚に貼付される為のラベルであるので発行枚数等の管理は特に必要ではない。
【００２２】
図２は、ハードディスク１０７が記憶する情報の一例である。図２（ａ）は、印字フォーマットファイルの一例である。図２（ａ）に示した印字フォーマットファイルには、該印字フォーマットを識別する印字フォーマット番号（以下、単に「フォーマット番号」という）、ラベルの幅を規定するラベル幅、ラベルの高さを規定するラベル高さ、ラベルの空送り量を規定するラベル空送り量（単に空送り量とも称する）、ラベルのタイプを特定するラベルタイプ等が記憶されている。ラベルタイプは、ラベルのタイプに関するタイプ情報である。フォーマット番号、ラベル幅、ラベル高さ、空送り量等は、ラベルの印字フォーマットに関する印字フォーマット情報とも称される。つまり、ハードディスク１０７は、印字フォーマットファイルとして、ラベルのタイプに関するタイプ情報と、ラベルの印字フォーマットに関する印字フォーマット情報とを対応付けて記憶している。
【００２３】
図２（ａ）において、「…」は設定値等を非図示（省略）とした旨、「−」は設定値等が存在しない旨を表している。例えば、棚ラベル（棚タイプのラベル）の場合、印字フォーマット情報として空送り量を有するが（棚ラベルには空送り量を設定可能）、標準ラベル（標準タイプのラベル）の場合、印字しない領域を設けラベルを意図的に大きくする必要がないので印字フォーマット情報として空送り量を有しない（標準ラベルには空送り量は設定できない）。つまり、ラベルタイプとして、標準タイプを選択した場合には、空送り量は設定できず、棚ラベルを選択した場合には、空送り量を設定することができる。またこの場合、標準タイプを選択した場合には、空送り量を設定する項目自体が非表示で、棚ラベルを選択した場合に、空送り量を設定する項目が表示するようにすることで、誤って標準タイプで空送り量を設定してしまうことを防ぐことができる。また、上記非表示の代わりに、空送り量の設定項目自体の表示は行うが、空送り量の設定を阻害（禁止）するよう、空送り量の設定項目の入力欄に値が入力できないようになっていてもよい。
【００２４】
図２（ｂ）は、商品ファイルの一例である。図２（ｂ）に示した商品ファイルには、商品を識別する品番（商品コード）、品名、値段、フォーマット番号等が記憶されている。品番、品名、値段等は、商品情報である。なお、上述した用紙に印字される所定事項とは、例えば、上述の商品情報や、ラベルに関する各種設定（例えば、商品が梱包されるパック数や内容量の単位等）である。
【００２５】
商品ファイルに記憶されているフォーマット番号は、標準ラベルに対応するフォーマット番号である。具体的には、商品ファイルには、品番毎に、標準ラベルに対応するフォーマット番号（例えば、図２（ａ）におけるフォーマット番号「０００１」、フォーマット番号「０００２」、フォーマット番号「０００３」等）のうちのいずれか１つが初期設定値として記憶されている。換言すれば、商品毎に、標準ラベルの印字フォーマットが初期設定されている。なお、図２（ｂ）において、「…」は設定値等を非図示（省略）とした旨を表している。
【００２６】
図２（ｃ）は、棚ラベルファイルの一例である。図２（ｃ）に示した棚ラベルファイルには、商品共通で、棚ラベルに対応するフォーマット番号（例えば、図２（ａ）におけるフォーマット番号「００６１」、フォーマット番号「００６２」、フォーマット番号「００６３」等）のうちのいずれか１つが初期設定値として記憶されている。より詳細には、最後（直近）に発行された棚ラベルの印字フォーマットのフォーマット番号が、次回以降の棚ラベルの初期設定値として記憶されている。つまり、新たなフォーマット番号の印字フォーマットにより棚ラベルを発行した場合には、棚ラベルファイルに記憶されるフォーマット番号は、当該新たなフォーマット番号に更新される。なお、図２（ｃ）において、「…」は設定値等を非図示（省略）とした旨を表している。
【００２７】
図３は、各タイプのラベルを説明する説明図である。図３（ａ）は、標準ラベルの一例である。図３（ｂ）は、棚ラベルの一例である。図３（ｂ）に示した空送り部分は、空送り量によって設定される。印刷部１０６は、このように設定された空送り量に基づいて空送り部分を有する棚ラベルを発行する。具体的には、例えば、印刷部１０６が、サーマルヘッドと、ステッピングモードにより所定パルス数回転するように制御可能なプラテンローラとを備える場合には、空送り量（上）として設定された長さに相当するパルス数の距離において、サーマルヘッドを駆動させることなくステッピングモータを回転させることにより空送り部分（上）が生成され、その後、サーマルヘッドを駆動させつつステッピングモータを回転させることにより印字された部分が生成され、その後、空送り量（下）として設定された長さに相当するパルス数の距離において、再度、サーマルヘッドを駆動させることなくステッピングモータを回転させることにより空送り部分（下）が形成される。
【００２８】
なお、棚ラベルは、商品の陳列棚に貼付されるので、例えば、陳列棚に確実に貼付するために、印字部分とは別に空送り部分を設けることを可能としている。一方、標準ラベルは、商品（又は商品の容器）に上に貼付されるので、商品の一部分が標準ラベルで隠れてしまう恐れがある。従って、標準ラベルは、なるべく小さい方が好ましく、棚ラベルのように敢えて空送り部分を設ける必要性も少ないことから、空送り部分を設けないようにしている。なお、図３（ｃ）については後述する。
【００２９】
図４〜図７は、表示部１０４による表示例である。例えば、図４及び図５は、ラベルを発行するときに表示される設定画面の一例である。図６及び図７は、印字フォーマットを選択可能に表示する一覧画面の一例である。
【００３０】
設定画面は、第１領域、第２領域、及び、第３領域を有する。図４に示した設定画面は、第１領域Ｒ１、第２領域Ｒ２、及び、第３領域Ｒ３を有し、図５に示した設定画面は、第１領域Ｒ１、第２領域Ｒ２、及び、第３領域Ｒ３を有する。
【００３１】
第１領域Ｒ１は、ラベルを発行する商品を指定するための領域（「商品指定領域」とも称する）である。第１領域Ｒ１には、例えば、ラベルを発行する商品の品番を入力（置数入力）する入力欄（図４、図５中の欄Ａ）、操作者によって入力された品番に対応する商品名を表示する表示欄（図４、図５中の欄Ｂ）が表示される。
【００３２】
第２領域Ｒ２は、第３領域Ｒ３に表示される表示内容を選択する（切り替える）領域（「選択領域」「切替領域」とも称する）である。例えば、図４、及び、図５に示した設定画面では、第３領域Ｒ３に表示される表示内容を選択するための選択タブを第２領域Ｒ２に配置する。
【００３３】
選択タブは、４つの押下（タッチ）部（押下部「Ｆ」、押下部「Ｌ」、押下部「Ｒ」、押下部「ＴＰ」）を有し、各押下部のうち、操作者によって押下された何れか１つをオン（選択状態）とし、他をオフ（非選択状態）とする。例えば、図４に示した設定画面では押下部「Ｆ」がオンになっている。また、図５に示した設定画面では押下部「ＴＰ」がオンになっている。
【００３４】
押下部「Ｆ」、押下部「Ｌ」、又は、押下部「Ｒ」の何れかをオンとしたときには、第３領域Ｒ３には標準ラベルの発行に関する内容が表示される。例えば、図４に示した設定画面の第３領域Ｒ３には、第１領域Ｒ１に表示されている商品「季節の幕の内弁当」の標準ラベルを発行するときの使用印字フォーマット（現在の設定されている印字フォーマット）のフォーマット番号を表示する表示欄（図４中の欄Ｃ）が表示されている。当該表示欄Ｃにはフォーマット番号を入力（置数入力）することもできる。
【００３５】
なお、商品「季節の幕の内弁当」が入力されたときに使用印字フォーマットとして表示欄Ｃに初期表示されるフォーマット番号は、商品「季節の幕の内弁当」について初期設定されている標準ラベルの印字フォーマットのフォーマット番号（即ち、商品ファイルにおいて、商品「季節の幕の内弁当」に対応付けて記憶されているフォーマット番号）である。
【００３６】
また、例えば、図４に示した設定画面の第３領域Ｒ３には、印字フォーマットを選択可能に一覧表示するためのボタン（図４中のＤ）が表示される。印字フォーマットの一覧表示については後述する。
【００３７】
なお、押下部「Ｆ」がオンとなっているときと押下部「Ｌ」がオンとなっているときと押下部「Ｒ」がオンとなっているときとでは表示される内容が異なる。従って、操作者は、押下部「Ｆ」、押下部「Ｌ」、押下部「Ｒ」の選択を適宜切り替えて、標準ラベルの発行に必要な情報を設定する。
【００３８】
一方、押下部「ＴＰ」をオンとしたときには、第３領域Ｒ３には棚ラベルの発行に関する内容が表示される。例えば、図５に示した設定画面の第３領域Ｒ３には、第１領域Ｒ１に表示されている商品「本まぐろ中とろ」の棚ラベルを発行するときの使用印字フォーマットのフォーマット番号を表示する表示欄（図５中の欄Ｃ）が表示されている。当該表示欄Ｃにはフォーマット番号を入力（置数入力）することもできる。
【００３９】
なお、商品「本まぐろ中とろ」が入力されたときに使用印字フォーマットとして表示欄Ｃに初期表示されるフォーマット番号は、商品共通で初期設定されている棚ラベルの印字フォーマットのフォーマット番号（即ち、棚ラベルファイルに記憶されているフォーマット番号）である。
【００４０】
また、例えば、図５に示した設定画面の第３領域Ｒ３には、印字フォーマットを選択可能に一覧表示するためのボタン（図５中のＤ）が表示される。印字フォーマットの一覧表示については後述する。
【００４１】
以上のように、選択タブの押下部「Ｆ」、押下部「Ｌ」、押下部「Ｒ」のうちの何れかがオンとされた場合には設定画面の第３領域Ｒ３には標準ラベルの設定内容が表示され、選択タブの押下部「ＴＰ」がオンとされた場合には設定画面の第３領域Ｒ３には棚ラベルの設定内容が表示される。つまり、選択タブによってラベルのタイプを選択することができる。具体的には、標準ラベルを発行するときは選択タブの押下部「Ｆ」、押下部「Ｌ」、押下部「Ｒ」のうちの何れかをオンとし、棚ラベルを発行するときは選択タブの押下部「ＴＰ」をオンとすればよい。
【００４２】
なお、図４に示すように、第２領域Ｒ２に配置された選択タブにおいて押下部「Ｆ」、押下部「Ｌ」、押下部「Ｒ」のうちの何れかがオンとされ、第３領域Ｒ３に標準ラベルの設定内容が表示されている設定画面を標準ラベル設定画面とも称する。また、図５に示すように、第２領域Ｒ２に配置された選択タブにおいて押下部「ＴＰ」がオンとされ、第３領域Ｒ３に棚ラベルの設定内容が表示されている設定画面を棚ラベル設定画面とも称する。つまり、押下部「Ｆ」、押下部「Ｌ」、押下部「Ｒ」のうちの何れかがオンとされている標準ラベル設定画面において押下部「ＴＰ」をオンとしたときは、標準ラベル設定画面から棚ラベル設定画面に切り替わる。押下部「ＴＰ」がオンとされている棚ラベル設定画面において押下部「Ｆ」、押下部「Ｌ」、押下部「Ｒ」のうちの何れかをオンとしたときは、棚ラベル設定画面から標準ラベル設定画面に切り替わる。
【００４３】
また、商品入力時点に表示される初期の設定画面は、標準ラベル設定画面としてもよい。即ち、第１領域Ｒ１において新たに商品が指定されたときは、第２領域Ｒ２に配置された選択タブにおいて押下部「Ｆ」、押下部「Ｌ」、押下部「Ｒ」のうちの何れか（例えば、押下部「Ｆ」）がオンとなるように制御してもよい。上記のように制御される態様では、操作者は、ある商品の棚ラベルを発行するときには、第１領域Ｒ１において当該商品を指定した後に、選択タブにおいて押下部「ＴＰ」をオンとすればよい。
【００４４】
図５に示すように、棚ラベル設定画面の第３領域Ｒ３には、使用印字フォーマット（現在の設定されている棚ラベルの印字フォーマット）による印字イメージが表示される。なお、所定の操作に応じて印字イメージの表示／非表示が切り替わるようにしてもよい。また、標準ラベル設定画面において所定の操作があった場合には、使用印字フォーマット（現在の設定されている標準ラベルの印字フォーマット）による印字イメージが表示されるようにしてもよい。
【００４５】
また、図４に示すように、標準ラベル設定画面の第３領域Ｒ３には、集計タイプを表示する表示欄（図４中のＥ）が表示される。集計タイプとは、ラベルの発行実績に関する計上（加算）／非計上（非加算）の別を示した種別である。標準ラベルの発行は、原則、発行実績として計上する。従って、図４に示すように、集計タイプの初期値は「加算（計上）」である。一方、棚ラベルの発行は、発行実績として計上しない。従って、図５に示すように、棚ラベル設定画面の第３領域Ｒ３には、集計タイプを表示する表示欄は表示せずに、集計タイプは常に「非加算（非計上）」としている。
【００４６】
なお、図５に示した棚ラベル設定画面においては図示を省略したが、棚ラベル設定画面に、棚ラベルの空送り量を設定する設定欄を設けるようにしてもよい。
【００４７】
選択タブによって標準ラベルが選択された状態において印字フォーマットを選択可能に一覧表示するためのボタンＤが押下（タッチ）された場合、つまり、標準ラベル設定画面の第３領域Ｒ３のボタンＤが押下された場合には、図６に示すように標準ラベルに対応する印字フォーマットのみを選択可能に一覧表示する。
【００４８】
図６に示した一覧表示画面では、図２（ａ）に示した印字フォーマットファイルにおいて標準タイプに対応するフォーマット番号が一覧表示されている。また、各フォーマット番号の印字フォーマットに関する情報（ラベル幅、ラベル高さ、印字フォーマット名）も表示されている。具体的には、図６に示した一覧表示画面では、フォーマット番号「０００１」、ラベル幅×ラベル高さ「５９×１００」である印字フォーマット「標準１」や、フォーマット番号「０００２」、ラベル幅×ラベル高さ「…（図示略）」である印字フォーマット「標準２」や、フォーマット番号「０００３」、ラベル幅×ラベル高さ「…（図示略）」である印字フォーマット「標準３」などが一覧表示されている。
【００４９】
図６に示した一覧表示画面において、操作者が「標準１」の印字フォーマット（欄「０００１」、欄「５９×１００」、又は、欄「標準１」のいずれか）を押下（タッチ）した場合、使用印字フォーマットとして「標準１」の印字フォーマットが選択される。また、操作者が「標準２」の印字フォーマットを押下した場合、使用印字フォーマットとして「標準２」の印字フォーマットが選択される。また、操作者が「標準３」の印字フォーマットを押下した場合、使用印字フォーマットとして「標準３」の印字フォーマットが選択される。
【００５０】
また、図６に示した一覧表示画面には、一覧表示されている夫々の印字フォーマットによる印字イメージを表示するためのボタン（図６中のＦ１、Ｆ２、Ｆ３）が表示されている。なお、図６に示した例では、ボタンＦ１が押下されたときの印字イメージを表示している。
【００５１】
一方、選択タブによって棚ラベルが選択された状態において印字フォーマットを選択可能に一覧表示するためのボタンＤが押下された場合、つまり、棚ラベル設定画面の第３領域Ｒ３のボタンＤが押下された場合には、図７に示すように棚ラベルに対応する印字フォーマットのみを選択可能に一覧表示する。
【００５２】
図７に示した一覧表示画面では、図２（ａ）に示した印字フォーマットファイルにおいて棚タイプに対応するフォーマット番号等が一覧表示されている。また、各フォーマット番号の印字フォーマットに関する情報（ラベル幅、ラベル高さ、印字フォーマット名）も表示されている。具体的には、図７に示した一覧表示画面では、フォーマット番号「００６１」、ラベル幅×ラベル高さ「５９×３００」である印字フォーマット名「棚１」や、フォーマット番号「００６２」、ラベル幅×ラベル高さ「…（図示略）」である印字フォーマット「棚２」や、フォーマット番号「００６３」、ラベル幅×ラベル高さ「…（図示略）」である印字フォーマット「棚３」などが一覧表示されている。
【００５３】
図７に示した一覧表示画面において、操作者が「棚１」の印字フォーマットを押下した場合、使用印字フォーマットとして「棚１」の印字フォーマットが選択される。また、操作者が「棚２」の印字フォーマットを押下した場合、使用印字フォーマットとして「棚２」の印字フォーマットが選択される。また、操作者が「棚３」の印字フォーマットを押下した場合、使用印字フォーマットとして「棚３」の印字フォーマットが選択される。
【００５４】
また、図７に示した一覧表示画面には、一覧表示されている夫々の印字フォーマットによる印字イメージを表示するためのボタン（図７中のＦ１、Ｆ２、Ｆ３）が表示されている。なお、図７に示した例では、ボタンＦ１が押下されたときの印字イメージを表示している。
【００５５】
なお、図６に示した一覧表示画面（図７に示した一覧表示画面も同様）において、使用印字フォーマットとして、現在、何れが設定されているかが分かるようにしてもよい。例えば、現在、使用印字フォーマットとして設定されている印字フォーマット（例えば、該印字フォーマットの行の全部又は一部の項目欄）を他の印字フォーマットと異なる色彩にて表示してもよいし、使用印字フォーマットとして設定されている印字フォーマットに対応付けて（例えば、該印字フォーマットの行のある項目欄内に）使用印字フォーマットとして設定されている旨のしるしを表示してもよい。
【００５６】
なお、図６に示した一覧表示画面（図７に示した一覧表示画面も同様）には、非図示の戻るボタンや取消ボタンなどが配置されていてもよい。
【００５７】
図８は、ラベル発行装置１００の動作の一例を示すフローチャートである。なお、第１領域Ｒ１において商品が指定されたときには、初期の設定画面として標準ラベル設定画面を表示するものとする。また、本フローチャートの開始時において、表示部１０４には標準ラベル設定画面が表示されているものとする。
【００５８】
ステップＳ１０：ラベルを発行する商品の指定を受け付ける。即ち、ＣＰＵ１０１は、標準ラベル設定画面の第１領域Ｒ１の入力欄を介して品番の入力を受け付ける。ＣＰＵ１０１は、品番や商品名などをＲＡＭ１０３に記憶する。
ステップＳ１２：該商品について初期設定されている標準ラベルの印字フォーマットを使用印字フォーマットとする。即ち、ＣＰＵ１０１は、商品ファイルを参照し、商品ファイルにおいて該商品について設定されているフォーマット番号を使用印字フォーマットのフォーマット番号としてＲＡＭ１０３に記憶する。
ステップＳ１４：棚ラベルに切り替える旨の指示があったか否かを判断する。即ち、ＣＰＵ１０１は、標準ラベル設定画面の第２領域Ｒ２の選択タブにおいて押下部「ＴＰ」が押下されたか否かを判断する。棚ラベルに切り替える旨の指示があった場合には、棚ラベル設定画面に切り替えた後にステップＳ１６に進む。棚ラベルに切り替える旨の指示がなかった場合にはステップＳ１８に進む。
【００５９】
ステップＳ１６：初期設定されている棚ラベルの印字フォーマットを使用印字フォーマットとする。即ち、ＣＰＵ１０１は、棚ラベルファイルを参照し、棚ラベルファイルにおいて設定されているフォーマット番号を使用印字フォーマットのフォーマット番号としてＲＡＭ１０３に記憶する（ステップＳ１２において記憶したフォーマット番号に今回のフォーマット番号を上書きする）。
【００６０】
ステップＳ１８：必要な情報（例えば、所定事項等）の入力を受け付ける。例えば、標準ラベルを発行するときには（ステップＳ１４：Ｎｏの場合には）、押下部「Ｆ」、押下部「Ｌ」、押下部「Ｒ」の押下を適宜受け付けつつ、標準ラベル設定画面において夫々の押下部に応じた第３領域Ｒ３の入力欄等を介して、標準ラベルの発行に必要な情報の入力（再入力）を受け付ける。また例えば、棚ラベルを発行するときには（ステップＳ１４：Ｙｅｓの場合には）、棚ラベル設定画面の第３領域Ｒ３の入力欄等を介して、棚ラベルの発行に必要な情報の入力（再入力）を受け付ける。ＣＰＵ１０１は、入力された情報などをＲＡＭ１０３に記憶する。
【００６１】
ステップＳ２０：印字フォーマットの置数入力があったか否かを判断する。即ち、ＣＰＵ１０１は、第３領域Ｒ３の表示欄Ｃに置数入力があったか否かを判断する。印字フォーマットの置数入力があった場合にはステップＳ２２に進む。印字フォーマットの置数入力がなかった場合にはステップＳ２４に進む。
【００６２】
ステップＳ２２：置数入力された印字フォーマットを使用印字フォーマットとする。即ち、ＣＰＵ１０１は、置数入力されたフォーマット番号を使用印字フォーマットのフォーマット番号としてＲＡＭ１０３に記憶する（ステップＳ１２やステップＳ１６において記憶したフォーマット番号に今回のフォーマット番号を上書きする）。
【００６３】
ステップＳ２４：印字フォーマットを一覧表示させる旨の指示があったか否かを判断する。即ち、ＣＰＵ１０１は、標準ラベル設定画面（又は棚ラベル設定画面）の第３領域Ｒ３のボタンＤが押下されたか否かを判断する。印字フォーマットを一覧表示させる旨の指示があった場合にはステップＳ２６に進む。印字フォーマットを一覧表示させる旨の指示がなかった場合にはステップＳ３２に進む。
【００６４】
ステップＳ２６：発行するラベルのタイプに対応する印字フォーマットを選択可能に一覧表示する。具体的には、発行するラベルのタイプとして標準ラベルが選択されているときには、例えば図６に示すように標準ラベルに対応する印字フォーマットのみを選択可能に一覧表示し、発行するラベルのタイプとして棚ラベルが選択されているときには、例えば図７に示すように棚ラベルに対応する印字フォーマットのみを選択可能に一覧表示する。即ち、ＣＰＵ１０１は、押下部「Ｆ」、押下部「Ｌ」、又は、押下部「Ｒ」の何れかが選択状態であるときにボタンＤが押下されたときは（標準ラベル設定画面上のボタンＤが押下されたときは）、印字フォーマットファイルにおいて標準タイプに対応するフォーマット番号を選択可能に一覧表示し（図６参照）、押下部「ＴＰ」が選択状態であるときにボタンＤが押下されたときは（棚ラベル設定画面上のボタンＤが押下されたときは）、印字フォーマットファイルにおいて棚タイプに対応するフォーマット番号を選択可能に一覧表示する（図７参照）。
【００６５】
ステップＳ２８：一覧表示から印字フォーマットの選択を受け付ける。
ステップＳ３０：選択された印字フォーマットを使用印字フォーマットとする。即ち、ＣＰＵ１０１は、当該選択された印字フォーマットのフォーマット番号を使用印字フォーマットのフォーマット番号としてＲＡＭ１０３に記憶する（ステップＳ１２やステップＳ１６において記憶したフォーマット番号に今回のフォーマット番号を上書きする）。
【００６６】
ステップＳ３２：ラベルを発行する旨の指示があったか否かを判断する。即ち、ＣＰＵ１０１は、ラベルを発行する旨のソフトボタン（例えば、図５に図示したボタン「発行」や、図４において非図示のボタン「発行」）や、ラベルを発行する旨のハードボタン（非図示）が押下されたか否かを判断する。ラベルを発行する旨の指示があった場合にはステップＳ３４に進む。ラベルを発行する旨の指示がなかった場合にはステップＳ１８に戻る。
【００６７】
ステップＳ３４：ラベルを発行する。即ち、ＣＰＵ１０１は、ステップＳ１０において指定された商品の商品名やステップＳ１８において入力された情報等を、ＲＡＭ１０３に記憶されている使用印字フォーマットに当てはめて用紙に印字し、ラベルとして発行する。また、棚ラベルを発行した場合には、棚ラベルファイルに初期設定されている棚ラベルの印字フォーマットを更新する。そして本フローチャートは終了する。
【００６８】
図８のフローチャートによれば、標準ラベルの印字フォーマットを変更するときに一覧表示を行えば、一覧表示においては標準ラベルの印字フォーマットのみが選択可能であるので（ステップＳ２６）、一覧表示からどの印字フォーマットを選択したとしても、確実に標準ラベルの印字フォーマットを選択することができる。
【００６９】
図８のフローチャートによれば、棚ラベルの印字フォーマットを変更するときに一覧表示を行えば、一覧表示においては棚ラベルの印字フォーマットのみが選択可能であるので（ステップＳ２６）、一覧表示からどの印字フォーマットを選択したとしても、確実に棚ラベルの印字フォーマットを選択することができる。
【００７０】
図８のフローチャートによれば、ある商品について標準ラベルを発行するときに印字フォーマットを変更しないときは、当該商品について初期設定されている標準ラベルの印字フォーマットにより標準ラベルが発行される。即ち、当該商品について商品ファイルに初期設定されている標準ラベルの印字フォーマットが使用印字フォーマットのフォーマット番号としてＲＡＭ１０３に記憶され（ステップＳ１２）、使用印字フォーマットが上書きされる処理（ステップＳ１６、ステップＳ２２、ステップＳ３０）がその後に実行されないので、当該商品について初期設定されている標準ラベルの印字フォーマットにより標準ラベルが発行される。
【００７１】
図８のフローチャートによれば、ある商品について棚ラベルを発行するときに印字フォーマットを変更しないときは、初期設定されている棚ラベルの印字フォーマットにより棚ラベルが発行される。即ち、棚ラベルファイルに初期設定されている棚ラベルの印字フォーマットが使用印字フォーマットのフォーマット番号としてＲＡＭ１０３に記憶され（ステップＳ１６）、使用印字フォーマットが上書きされる処理（ステップＳ２２、ステップＳ３０）がその後に実行されないので、初期設定されている棚ラベルの印字フォーマットにより棚ラベルが発行される。
【００７２】
なお、本フローチャートは、印字フォーマットを一覧表示した後に一覧表示から何れかの印字フォーマットが選択される場合を表しているが、印字フォーマットを一覧表示した後に非図示の戻るボタンや取消ボタンなどが押下されるなどして一覧表示から何れの印字フォーマットも選択されない場合もある。印字フォーマットを一覧表示した後に一覧表示から何れの印字フォーマットも選択されない場合には、当然ではあるが、ステップＳ２８とステップＳ３０の処理は実行されない（つまり、ステップＳ２６に続いてステップＳ３２が実行される。
【００７３】
以上のように、ラベル発行装置１００によれば、不適切な印字フォーマットが選択されないようにすることができる。
【００７４】
なお、上記実施形態では、印字フォーマットを変更する場合には、一旦、印字フォーマットを選択可能に一覧表示し、該一覧表示から所望の印字フォーマットを選択させて印字フォーマットを変更する機能と、所望の印字フォーマットのフォーマット番号を置数入力させて印字フォーマットを変更する機能とが存在する。しかしながら、フォーマット番号を置数入力させて印字フォーマットを変更する態様においては、誤ったフォーマット番号が置数入力される虞（例えば、標準ラベルの印字フォーマットのフォーマット番号を置数入力すべきときに棚ラベルの印字フォーマットのフォーマット番号や存在しないフォーマット番号が置数入力される虞や、棚ラベルの印字フォーマットのフォーマット番号を置数入力すべきときに標準ラベルの印字フォーマットのフォーマット番号や存在しないフォーマット番号が置数入力される虞等）があるので、以下の何れかによって対処してもよい。
【００７５】
（対処１）
フォーマット番号の置数入力機能を削除する。換言すれば、ラベル発行装置１００は、フォーマット番号の置数入力機能を具備しないようにする。フォーマット番号の置数入力機能を有しないので、印字フォーマットの変更は全て一覧表示を経て行われることになるので、誤ったフォーマット番号が入力されることは完全になくなる。
【００７６】
（対処２）
対処１に関連して、フォーマット番号の置数入力機能の有効／無効の切り替え機能を設ける。フォーマット番号の置数入力機能を無効にすれば誤ったフォーマット番号が入力されることは完全になくなり、フォーマット番号の置数入力機能を有効にすれば処理を高速化することができる。
【００７７】
（対処３）
誤ったフォーマット番号の置数入力後に印字フォーマットを一覧表示する。例えば、ある商品のラベルを発行する際に、所定回数（１回又は２回以上である所定回数）連続して誤ったフォーマットが置数入力された場合に印字フォーマットを一覧表示する。例えば、所定回数を２回としたときは、操作者が、ある商品のラベルを発行する際に誤ったフォーマットを置数入力（１回目）したときは、「正しい印字フォーマットを入力してください」などのメッセージを表示し、その後、再度、誤ったフォーマットを置数入力（２回目）したときは、図８のステップＳ２６と同様に、ラベルのタイプに応じた印字フォーマットを一覧表示するとともに、「一覧から印字フォーマットを選択してください」などのメッセージを表示してもよい。
【００７８】
（対処４）
対処１〜対処３を操作者毎に設定する。例えば、操作者Ａに対しては、フォーマット番号の置数入力機能を無効とし、常に一覧表示から印字フォーマットの変更を行わせるようにする。一方、操作者Ｂに対しては、フォーマット番号の置数入力機能を有効とし、所定回数連続して誤ったフォーマット番号を入力したときには一覧表示から印字フォーマットの変更を行わせるようにする。なお、ラベル発行装置１００は、例えば、個々の操作者を識別する識別情報に対応付けて、フォーマット番号の置数入力機能の無効／有効に関する情報や、印字フォーマットを一覧表示させるタイミングである所定回数などの情報を記憶しておけばよい。
【００７９】
以上、この発明の実施形態について図面を参照して詳述してきたが、具体的な構成はこの実施形態に限られるものではなく、この発明の要旨を逸脱しない範囲の設計等も含まれる。
【００８０】
例えば、上記実施形態では、選択タブ（押下部「Ｆ」、押下部「Ｌ」、押下部「Ｒ」、押下部「ＴＰ」）によって発行するラベルのタイプを選択しているが、ラベルのタイプの選択方法は選択タブに限定されない。一例として、ラベルのタイプを入力する入力欄や選択ボタンを設けてラベルのタイプを入力（選択）させるようにしてもよい。換言すれば、上記実施形態における設定画面は、第１領域、第２領域、及び、第３領域を有するが、発行するラベルが選択可能であれば、設定画面は、必ずしも、第１領域Ｒ１、第２領域Ｒ２、及び、第３領域Ｒ３を有していなくてもよい。例えば、設定画面は、商品やラベルのタイプを指定する領域と、該指定内容に応じた入力欄等などを表示する領域の２つの領域を有するものであってもよい。
【００８１】
また、上記実施形態では、標準ラベルの印字フォーマットは商品毎に初期設定され、棚ラベルの印字フォーマットは商品共通に初期設定されているが、初期設定の態様はこれに限定されない。例えば、標準ラベルの印字フォーマットを商品共通に初期設定してもよい。即ち、商品と独立した標準ラベルファイル（図２（ｃ）の棚ラベルファイルと同様のファイル）を用意し、標準ラベルファイルにおいて初期設定される標準ラベルの印字フォーマットのフォーマット番号を記憶すればよい。また例えば、棚ラベルの印字フォーマットを商品毎に初期設定してもよい。即ち、標準ラベルの印字フォーマットのフォーマット番号と同様に、棚ラベルの印字フォーマットのフォーマット番号を、図２（ａ）の商品ファイルにおいて商品毎に記憶すればよい。
【００８２】
また、上記実施形態では、ラベル発行装置１００は、標準ラベル（図３（ａ））、棚ラベル（図３（ｂ））の２種類を発行する旨を記載したが、他の種類のラベルを発行してもよい。例えば、ラベル発行装置１００は、図３（ｃ）に示すような、商品に付される帯ラベルを発行してもよい。例えば、図２（ａ）の印字フォーマットファイルに、ラベルタイプ「標準タイプ」である印字フォーマット、ラベルタイプ「棚タイプ」である印字フォーマットの他に、ラベルタイプ「帯タイプ」である印字フォーマットを記憶し、また、例えば、標準ラベル設定画面や棚ラベル設定画面と同様に、後述するように、選択タブなどによって第３領域Ｒ３に帯ラベルの設定画面（帯ラベル設定画面。非図示）が表示されるようにすればよい。また、標準ラベル設定画面において印字フォーマットを選択可能に一覧表示するためのボタン（図４中のＤ）が押下された場合に標準タイプに対応するフォーマット番号が一覧表示（図６）され、棚ラベル設定画面において印字フォーマットを選択可能に一覧表示するためのボタン（図５中のＤ）が押下された場合に棚タイプに対応するフォーマット番号等が一覧表示（図７）されるのと同様、帯ラベル設定画面（非図示）において印字フォーマットを選択可能に一覧表示するためのボタンが押下された場合には帯タイプに対応するフォーマット番号等が一覧表示されるようにすればよい。つまり、標準ラベルを発行するときには標準ラベル用の印字フォーマットのみが選択可能に一覧表示され、棚ラベルを発行するときには棚ラベル用の印字フォーマットのみが選択可能に一覧表示されるのと同じように、帯ラベルを発行するときには帯ラベル用の印字フォーマットのみが選択可能に一覧表示されるようにすればよい。
【００８３】
なお、図３（ｃ）に示すように、帯ラベルには、空送り部分を設けてもよい。即ち、帯ラベルでも棚ラベルと同様に、空送り量を設定することができるようにすると好適である。帯ラベルは、特に蓋付きの弁当等の容器の周囲を覆うように貼付されるラベルとして使用され、図３（ｃ）のように、印字部分が商品の上面に位置するように貼付されるので、ラベルの上端、下端は容器の側面や下面に位置するようになり、その部分を確保するために空送り部分があると有効である。この場合、長尺状の棚ラベル、あるいは、帯ラベルの場合にのみ空送り量が設定可能になっており、標準ラベルの場合には、空送り量の設定が不可になるよう制御されていることで、標準ラベルに不要な空送り量を誤って設定してしまうことを防ぐことができる。
【００８４】
なお、図３においては３種類のラベルを示したが、ラベルの種類は４種類以上であってもよい。
【００８５】
また、上記実施形態では、選択タブは、標準ラベルに関する押下部（押下部「Ｆ」、押下部「Ｌ」、押下部「Ｒ」）と棚ラベルに関する押下部（押下部「ＴＰ」））とを有していたが、選択タブは、ラベルの種類に応じた押下部を有するようにしてもよい。例えば、ラベル発行装置１００が、ラベル１、ラベル２、ラベル３、…、ラベルＮのＮ種類（例えば、ラベル１が図３（ａ）の標準ラベル、ラベル２が図３（ｂ）の棚ラベル、ラベル３が図３（ｃ）の帯ラベル、…）のラベルを発行可能である場合、選択タブは、各ラベルに対応する押下部（例えば、標準ラベルに対応する押下部「Ｆ」、押下部「Ｌ」、押下部「Ｒ」、棚ラベルに対応する押下部「ＴＰ」、帯ラベルに関する押下部（非図示）、…）を有するようにしてもよい。なお、帯ラベルに関する押下部が押下された場合には、例えば、帯ラベル設定画面が第３領域Ｒ３に表示されるようにすればよい。
【００８６】
また、上記実施形態では、標準ラベルに対する３個の押下部（押下部「Ｆ」、押下部「Ｌ」、押下部「Ｒ」）の如く、あるラベルに対して複数個の押下部が割り当てられる場合があるが、これとは逆に、ある１以上の押下部に対して複数種類のラベルが割り当てられていてもよい。例えば、設定内容等が標準ラベルと帯レベルとで共通する場合には、押下部「Ｆ」、押下部「Ｌ」、押下部「Ｒ」に対し、標準ラベルと帯レベルとを対応付けられていてもよい。つまり、標準ラベルと帯ラベルに共通する設定内容が表示されている設定画面（標準ラベル／帯ラベル設定画面）が存在するような場合において、押下部「Ｆ」や押下部「Ｌ」や押下部「Ｒ」が押下された場合には、当該標準ラベル／帯ラベル設定画面が第３領域Ｒ３に表示されるようにしてもよい。
【００８７】
また、ラベル発行装置１００が、上述の如く、ラベル１、ラベル２、ラベル３、…、ラベルＮのＮ種類のラベルを発行可能である場合であっても、あるラベルに対応する押下部が押下された状態において印字フォーマットを選択可能に一覧表示するための操作があったときには、当該ラベルに対応する印字フォーマットのみを選択可能に一覧表示すればよい。例えば、選択タブによって帯ラベルが選択された状態において上記操作があった場合には（例えば、帯ラベル設定画面において上記操作があった場合には）、帯ラベルに対応する印字フォーマットのみを選択可能に一覧表示すればよい。なお、あるラベルに対応する印字フォーマットの全部又は一部が他のラベルに対応する印字フォーマットの全部又は一部であってもよい。従って、例えば、標準ラベルの印字フォーマットと帯ラベルの印字フォーマットが共通の印字フォーマットであるような場合において、上述の標準ラベル／帯ラベル設定画面において印字フォーマットを選択可能に一覧表示するための操作があったときには、当該共通の印字フォーマットのみを選択可能に一覧表示してもよい。
【００８８】
また、上記実施形態では、表示部１０４は、表示機能の他に操作受付機能を有しているが、表示部１０４は、必ずしても操作受付機能を有していなくてもよい（即ち、タッチ機能を有しないものであってもよい）。表示部１０４が操作受付機能を有しないときには、ハードボタンによって画面上に項目（ボタン、欄等）を選択すればよい。
【００８９】
また、上記実施形態では、印字フォーマットを選択可能に一覧表示するためのボタン（図４中のＤや図５中のＤ）が押下された場合に、印字フォーマットが一覧表示されたが、他の操作によって印字フォーマットを一覧表示されるようにしてもよい。例えば、棚ラベルを選択する押下部「ＴＰ」が押下された場合に、棚ラベルのフォーマット番号が一覧表示されてもよいし、帯ラベルを選択する押下部（非図示）が押下された場合に、帯ラベルのフォーマット番号が一覧表示されてもよい。
【００９０】
また、上記実施形態では、ラベル発行装置１００は、標準ラベルが選択されているときに（即ち標準ラベル設定画面の表示中に）、印字フォーマットを一覧表示するべき指示（例えば、ボタンＤの押下）があったときには、図６に示すように標準ラベルに対応する印字フォーマットのみを一覧表示するが、標準ラベルが選択されているときの一覧表示の表示態様は上記に限定されない。例えば、標準ラベル、棚ラベル、帯ラベルの何れが発行できるラベル発行装置１００において、標準ラベルが選択されているときに（即ち標準ラベル設定画面の表示中に）、印字フォーマットを一覧表示するべき指示（例えば、ボタンＤの押下）があったときには、全部の印字フォーマットを一覧表示してもよい。全部の印字フォーマットを一覧表示するときには、選択されるべき印字フォーマットである標準ラベルに対応する印字フォーマットを他の印字フォーマット（棚ラベルに対応する印字フォーマット、帯ラベルに対応する印字フォーマット）と区別して表示する。例えば、標準ラベルに対応する印字フォーマットの欄（行）を他の印字フォーマットの欄と異なる色で表示してもよいし、標準ラベルに対応する印字フォーマットの欄にのみ所定のマーク（しるし）を付してもよいし、標準ラベルに対応する印字フォーマットと、他の印字フォーマットとの間に間隔を設けてもよい。つまり、全部の印字フォーマットを一覧表示するが、標準ラベルに対応する印字フォーマットを他の印字フォーマット（棚ラベルに対応する印字フォーマット、帯ラベルに対応する印字フォーマット）と、色やマークや間隔などによって区別可能に表示することによって、間違った印字フォーマット（棚ラベルに対応する印字フォーマット、帯ラベルに対応する印字フォーマット）が選択されないようにしてもよい。なお、図６や図７におけるラベルの種類の説明（標準１、標準２、標準３、…、棚１、棚２、棚３、…）などを更に目立つように表示することによって、間違ったフォーマットが選択されないようにしてもよい。なお、他の印字フォーマット同士（棚ラベルに対応する印字フォーマット、帯ラベルに対応する印字フォーマット）については、ラベルの種類（棚１、棚２、棚３、…、帯１、帯２、帯３、…）の説明以外のもの（例えば色）で夫々が区別できるようにしてもよいし、ラベルの種類でしか夫々が区別できなくてもよい。
【００９１】
同様に、棚ラベルが選択されているときに（即ち棚ラベル設定画面の表示中に）、印字フォーマットを一覧表示するべき指示があった場合に、全部の印字フォーマットを一覧表示するが、棚ラベルに対応する印字フォーマットを他の印字フォーマット（標準ラベルに対応する印字フォーマット、帯ラベルに対応する印字フォーマット）と区別可能に表示することによって、間違った印字フォーマット（標準ラベルに対応する印字フォーマット、帯ラベルに対応する印字フォーマット）が選択されないようにしてもよい。また、帯ラベルが選択されているときに（即ち帯ラベル設定画面の表示中に）、印字フォーマットを一覧表示するべき指示があった場合に、全部の印字フォーマットを一覧表示するが、帯ラベルに対応する印字フォーマットを他の印字フォーマット（標準ラベルに対応する印字フォーマット、棚ラベルに対応する印字フォーマット）と区別可能に表示することによって、間違った印字フォーマット（標準ラベルに対応する印字フォーマット、棚ラベルに対応する印字フォーマット）が選択されないようにしてもよい。
【００９２】
また、全部の印字フォーマットを一覧表示するときには、選択されるべき印字フォーマットを選択可能に一覧表示する一方で、他の印字フォーマットを選択不能にしてもよい（選択不能である旨の表示（例えばグレーダウン表示）をあわせて行うことが好ましい）。つまり、全部の印字フォーマットを表示するが、選択されるべき印字フォーマットのみが選択可能に一覧表示されるようにしてもよい。例えば、標準ラベル設定画面の表示中に、ボタンＤの押下があったときには、全部の印字フォーマットを一覧表示するとともに、そのうちの標準ラベルに対応する印字フォーマットを選択可能とし、棚ラベルに対応する印字フォーマットや帯ラベルに対応する印字フォーマットを選択不能としてもよい。
【００９３】
つまり、あるタイプのラベルの発行に使用する印字フォーマットを変更する場合に、当該ラベルのタイプに適した印字フォーマットが、他のタイプの印字フォーマット（当該ラベルのタイプに適さない印字フォーマット）と区別されて一覧表示されればよい。当該区別として、他の印字フォーマットについては一覧表示を行わずに当該ラベルの印字フォーマットを選択可能に一覧表示してもよい（図６、図７参照）。また、当該区別として、他の印字フォーマットと色などによって区別して当該ラベルの印字フォーマットを一覧表示してもよい（色などによって選択されるべき印字フォーマットが区別されているので、他の印字フォーマットを選択不能としなくてもよい）。また、当該区別として、他の印字フォーマットと色などによって区別するか否かにかかわらず、当該ラベルの印字フォーマットも他の印字フォーマットも全て一覧表示し、他の印字フォーマットは選択不能にしてもよい。
【００９４】
また、上記実施形態では、用紙に所定事項を印字したラベルを発行すると説明したが、印字可能であればラベルの材質は紙以外であってもよい。
以下に付記を開示する。
【００９５】
（付記１）
本発明の一態様に係る発行装置は、所定事項が印字されたラベルを発行する発行装置であって、前記ラベルのタイプに関するタイプ情報と、前記ラベルの印字フォーマットに関する印字フォーマット情報とを対応付けて記憶する記憶手段と、前記タイプを選択する選択手段と、前記印字フォーマットを一覧表示する表示手段と、前記選択手段により選択された前記タイプに対応する前記印字フォーマットと他のタイプの印字フォーマットとを区別して前記表示手段に表示するように制御する制御手段とを備える。
【００９６】
上記発行装置によれば、不適切な印字フォーマットが選択されることを防止することができる。つまり、あるタイプのラベルの発行に使用する印字フォーマットを変更する場合に、当該ラベルのタイプに適した印字フォーマットが、他のタイプの印字フォーマット（当該ラベルのタイプに適さない印字フォーマット）と区別されて表示されるので、他のタイプの印字フォーマットが誤って選択されることを防止することができる。
【００９７】
（付記２）
上記発行装置において、前記制御手段は、前記区別として、前記選択手段により選択された前記タイプに対応する前記印字フォーマットのみを前記表示手段に選択可能に一覧表示するようにしてもよい。例えば、選択されたタイプに対応する印字フォーマットのみを一覧表示し、一覧表示された印字フォーマットの何れも選択可能とする態様としてもよいし、あるいは、選択されたタイプに対応する印字フォーマットも他のタイプの印字フォーマットも一覧表示し、一覧表示された印字フォーマットのうち選択されたタイプに対応する印字フォーマットのみを選択可能とする態様としてもよい。
【００９８】
上記発行装置によれば、不適切な印字フォーマットが選択されなくなる。つまり、選択されたタイプに対応する印字フォーマットのみを一覧表示し、一覧表示された印字フォーマットの何れも選択可能とする態様であっても、あるいは、選択されたタイプに対応する印字フォーマットも他のタイプの印字フォーマットも一覧表示し、一覧表示された印字フォーマットのうち選択されたタイプに対応する印字フォーマットのみを選択可能とする態様であっても、当該ラベルのタイプに適した印字フォーマットのみが選択可能となるので、他のタイプの印字フォーマット（当該ラベルのタイプに適さない印字フォーマット）が誤って選択されなくなる。
【００９９】
（付記３）
前記タイプとして、少なくとも標準タイプと棚タイプとが存在し、前記制御手段は、前記棚タイプの前記ラベルが発行されたときは発行実績として計上せずに、前記棚タイプ以外の前記タイプの前記ラベルが発行されたときは発行実績として計上するようにしてもよい。
【０１００】
上記発行装置によれば、棚ラベル（棚タイプのラベル）が発行されたときは、実績を非加算とするので不要なデータを生成、記憶しなくて済む。
【０１０１】
（付記４）
上記発行装置は、前記棚タイプの前記ラベルについて空送り量を設定する設定手段を更に備えるようにしてもよい。
【０１０２】
上記発行装置によれば、棚ラベルを設置（置く、貼る等）する対象物（例えば棚）の位置や形状に応じて、適宜、空送り量を設定／変更することができる。
【０１０３】
（付記５）
前記タイプとして、少なくとも帯タイプが存在し、上記発行装置は、前記帯タイプの前記ラベルについて空送り量を設定する設定手段を更に備えるようにしてもよい。
【０１０４】
上記発行装置によれば、帯ラベルを設置（置く、貼る等）する対象物（例えば弁当の容器等）の位置や形状に応じて、適宜、空送り量を設定／変更することができる。
【０１０５】
（付記６）
上記発行装置において、前記表示手段に前記印字フォーマットが一覧表示されているときに、該一覧表示において指定された前記印字フォーマットによる印字イメージを前記表示手段に表示するように制御するようにしてもよい。
【０１０６】
上記発行装置によれば、印字イメージを簡便に確認することができる。
【０１０７】
（付記７）
本発明の他の態様に係る発行装置は、所定事項が印字されたラベルを発行する発行装置であって、前記ラベルのタイプに関するタイプ情報と、前記ラベルの印字フォーマットに関する印字フォーマット情報とを対応付けて記憶する記憶手段と、前記タイプを選択する選択手段と、前記印字フォーマットを一覧表示する表示手段と、前記選択手段により選択された前記タイプに対応する前記印字フォーマットと他のタイプの印字フォーマットとを区別して前記表示手段に表示するように制御する制御手段とを備え、前記タイプとして、少なくとも標準タイプと棚タイプとが存在し、前記制御手段は、前記棚タイプの前記ラベルが発行されたときは発行実績として計上せずに、前記棚タイプ以外の前記タイプの前記ラベルが発行されたときは発行実績として計上する。
【０１０８】
上記発行装置によれば、不適切な印字フォーマットが選択されることを防止することができる。つまり、あるタイプのラベルの発行に使用する印字フォーマットを変更する場合に、当該ラベルのタイプに適した印字フォーマットが、他のタイプの印字フォーマット（当該ラベルのタイプに適さない印字フォーマット）と区別されて表示されるので、他のタイプの印字フォーマットが誤って選択されることを防止することができる。また、上記発行装置によれば、棚ラベル（棚タイプのラベル）が発行されたときは、実績を非加算とするので不要なデータを生成、記憶しなくて済む。
【０１０９】
（付記８）
上記発行装置は、商品を指定する指定手段を更に備え、前記制御手段は、前記棚タイプ以外の前記タイプの前記ラベルが発行されたときは前記指定手段により指定された商品の生産個数を前記発行実績として計上するようにしてもよい。
【０１１０】
（付記９）
上記発行装置において、前記タイプとして、帯タイプが存在し、上記発行装置は、前記帯タイプの前記ラベルについて空送り量を設定する設定手段を更に備えるようにしてもよい。
【０１１１】
（付記１０）
上記発行装置において、前記表示手段に前記印字フォーマットが一覧表示されているときに、該一覧表示において選択された前記印字フォーマットによる印字イメージを前記表示手段に表示するように制御するようにしてもよい。
【０１１２】
なお、本発明のラベル発行装置１００の各処理を実行するためのプログラムをコンピュータ読み取り可能な記録媒体に記録して、当該記録媒体に記録されたプログラムをコンピュータシステムに読み込ませ、実行することにより、ラベル発行装置１００の各処理に係る上述した種々の処理を行ってもよい。なお、ここでいう「コンピュータシステム」とは、ＯＳや周辺機器等のハードウェアを含むものであってもよい。また、「コンピュータシステム」は、ＷＷＷシステムを利用している場合であれば、ホームページ提供環境（あるいは表示環境）も含むものとする。また、「コンピュータ読み取り可能な記録媒体」とは、フレキシブルディスク、光磁気ディスク、ＲＯＭ、フラッシュメモリ等の書き込み可能な不揮発性メモリ、ＣＤ−ＲＯＭ等の可搬媒体、コンピュータシステムに内蔵されるハードディスク等の記憶装置のことをいう。
【０１１３】
さらに「コンピュータ読み取り可能な記録媒体」とは、インターネット等のネットワークや電話回線等の通信回線を介してプログラムが送信された場合のサーバやクライアントとなるコンピュータシステム内部の揮発性メモリ（例えばＤＲＡＭ（Dynamic Random Access Memory））のように、一定時間プログラムを保持しているものも含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。また、上記プログラムは、前述した機能の一部を実現するためのものであってもよい。さらに、前述した機能をコンピュータシステムにすでに記録されているプログラムとの組み合わせで実現できるもの、いわゆる差分ファイル（差分プログラム）であってもよい。
【符号の説明】
【０１１４】
１００…ラベル発行装置
１０１…ＣＰＵ（Central Processing Unit）
１０２…ＲＯＭ（Read Only Memory）
１０３…ＲＡＭ（Random Access Memory）
１０４…表示部
１０５…操作部
１０６…印刷部
１０７…ハードディスク
【図１】
2018062182.tif 000003
【図２】
2018062182.tif 000004
【図３】
2018062182.tif 000005
【図４】
2018062182.tif 000006
【図５】
2018062182.tif 000007
【図６】
2018062182.tif 000008
【図７】
2018062182.tif 000009
【図８】
2018062182.tif 000010